【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
無線セルラネットワークの輻輳を低減する方法であって、当該方法が：
エンドユーザ装置へ又はエンドユーザ装置から無線セルラネットワークの無線セルラ接続上で１つ又は複数のデータ通信の第１のセットを伝達するステップであって、前記１つ又は複数のデータ通信の第１のセットは、前記エンドユーザ装置がサポートすることができる１つ又は複数のサービス活動に関連する、ステップと；
前記エンドユーザ装置へ又は前記エンドユーザ装置から１つ又は複数のデータ通信の第２のセットを伝達するために使用することができる代替無線ネットワークを識別するステップであって、前記１つ又は複数のデータ通信の第２のセットは、（ｉ）前記エンドユーザ装置がサポートすることができる前記１つ又は複数のサービス活動に関連したデータトラフィックのサブセットであるか、又は（ｉｉ）前記エンドユーザ装置がサポートすることができる前記１つ又は複数のサービス活動に関連したデータトラフィックの全てを含む、ステップと；
前記無線セルラネットワークから前記代替無線ネットワークへオフロードするための命令セットの電子的な処理に基づいて、前記代替無線ネットワーク上又は無線セルラ接続上で前記エンドユーザ装置へ又は前記エンドユーザ装置から前記１つ又は複数のデータ通信の第２のセットを伝達するべきかどうかを決定するステップとを具え、前記無線セルラネットワークから前記代替無線ネットワークにオフロードするための命令セットは、前記代替無線ネットワーク上で前記エンドユーザ装置へ又は前記エンドユーザ装置から前記１つ又は複数のデータ通信の第２のセットを伝達する１つ又は複数の条件を特定し、前記無線セルラネットワークから前記代替無線ネットワークにオフロードするための命令セットは、前記無線セルラ接続に関連した少なくとも１つの状態を考慮した少なくとも１つの規則を含むことを特徴とする方法。
【請求項２】
請求項１に記載の方法において、前記代替無線ネットワーク上で前記エンドユーザ装置へ又は前記エンドユーザ装置から１つ又は複数のデータ通信の第２のセットを伝達することが決定され、当該方法がさらに：
前記代替無線ネットワーク上で前記エンドユーザ装置へ又は前記エンドユーザ装置から前記１つ又は複数のデータ通信の第２のセットを伝達するステップと；
前記代替無線ネットワーク上で前記１つ又は複数のデータ通信の第２のセットを伝達した後、前記無線セルラネットワークの性能が第１のレベル又は無線セルラネットワークの輻輳を超える表示若しくは予測に基づいて、無線セルラ接続上で前記エンドユーザ装置へ又は前記エンドユーザ装置から１つ又は複数のデータ通信の第３のセットを伝達するステップを具え、前記１つ又は複数のデータ通信の第３のセットが、前記エンドユーザ装置への又は前記エンドユーザ装置からの幾つか若しくは全てのデータトラフィックを含むことを特徴とする方法。
【請求項３】
請求項１又は２に記載の方法において、前記無線セルラ接続に関連した少なくとも１つの状態は、前記無線セルラネットワークがローミングネットワークであることであることを特徴とする方法。
【請求項４】
請求項１〜３の何れか１項に記載の方法において、前記無線セルラ接続に関連した少なくとも１つの状態は、前記無線セルラ接続の現在若しくは過去の輻輳状態、前記無線セルラ接続の現在若しくは過去の性能レベル、又は前記無線セルラ接続をサポートする前記無線セルラネットワークの一部の現在若しくは過去の性能を含むことを特徴とする方法。
【請求項５】
請求項１〜４の何れか１項に記載の方法において、前記無線セルラ接続に関連した少なくとも１つの状態が、日時に関連した過去の輻輳のメトリック値を含むことを特徴とする方法。
【請求項６】
請求項１〜５の何れか１項に記載の方法において、前記代替無線ネットワーク又は前記無線セルラ接続上で前記エンドユーザ装置へ又は前記エンドユーザ装置から前記１つ又は複数のデータ通信の第２のセットを伝達するべきかどうかを決定するステップがさらに、前記エンドユーザ装置の移動に基づくことを特徴とする方法。
【請求項７】
請求項１〜６の何れか１項に記載の方法において、前記代替無線ネットワーク又は前記無線セルラ接続上で前記エンドユーザ装置へ又は前記エンドユーザ装置から前記１つ又は複数のデータ通信の第２のセットを伝達するべきかどうかを決定するステップがさらに、前記エンドユーザ装置の移動の速度、前記エンドユーザ装置が前記代替無線ネットワークの１つ又は複数のアクセスポイント若しくは１つ又は複数の基地局の範囲内にいるか若しくは当該範囲内にいるであろう時間の量、或いはこれらの組み合わせに基づいており、（ａ）前記エンドユーザ装置の移動の速度が所定の速度を超えるとき、（ｂ）前記エンドユーザ装置が前記代替無線ネットワークの１つ又は複数のアクセスポイント或いは１つ又は複数の基地局の範囲内にいるであろう時間量が所定の時間未満であるとき、又は（ｃ）（ａ）及び（ｂ）の双方であるときに、前記無線セルラ接続上で前記エンドユーザ装置へ又は前記エンドユーザ装置から前記１つ又は複数のデータ通信の第２のセットを伝達することを決定することを特徴とする方法。
【請求項８】
請求項１〜７の何れか１項に記載の方法において、前記代替無線ネットワーク上又は前記無線セルラ接続上で前記エンドユーザ装置へ又は前記エンドユーザ装置から前記１つ又は複数のデータ通信の第２のセットを伝達するべきかどうかを決定するステップがさらに、前記無線セルラ接続と前記代替無線ネットワークとの間の切り替えの行き来を防止するための閾値条件に基づいており、前記閾値条件は、前記１つ又は複数のデータ通信の第２のセットを伝達するために前記無線セルラ接続の代わりに前記代替無線ネットワークの使用を開始するときの決定を支援するための第１の閾値と、前記１つ又は複数のデータ通信の第２のセットを伝達するために前記無線セルラ接続の代わりに前記代替無線ネットワークの使用を止めるときを決定するための、前記第１の閾値から少なくとも１つの側面で異なる、第２の閾値とを含むことを特徴とする方法。
【請求項９】
請求項１〜８の何れか１項に記載の方法において、前記無線セルラ接続に関連した少なくとも１つの状態が、前記無線セルラネットワークのタイプの表示を含むことを特徴とする方法。
【請求項１０】
請求項１〜９の何れか１項に記載の方法において、前記無線セルラ接続に関連した少なくとも１つの状態がネットワーク要素からリポートを得ることによって決定された性能のメトリック値又は輻輳のメトリック値を含み、前記リポートが前記無線セルラ接続の性能又は前記無線セルラ接続の輻輳に関する情報を含むことを特徴とする方法。
【請求項１１】
請求項１〜１０の何れか１項に記載の方法において、前記代替無線ネットワーク上又は前記無線セルラ接続上で前記エンドユーザ装置へ又は前記エンドユーザ装置から１つ又は複数のデータ通信の第２のセットを伝達するべきかどうかを決定するステップが：
前記無線セルラネットワークに関連した少なくとも１つの状態に基づいて、前記代替無線ネットワーク上で前記エンドユーザ装置へ又は前記エンドユーザ装置から１つ又は複数のデータ通信の第２のセットを伝達することが望ましいことを決定するステップと；
前記無線セルラネットワークに関連した少なくとも１つの状態に基づいて、前記代替無線ネットワーク上で前記エンドユーザ装置へ又は前記エンドユーザ装置から１つ又は複数のデータ通信の第２のセットを伝達することが望ましいことを決定するステップに基づいて、前記エンドユーザ装置のユーザに、前記代替無線ネットワークに切り替える機会を提示するステップと；
前記エンドユーザ装置のユーザから、前記代替無線ネットワークに切り替える機会への応答を受信するステップと；
前記応答が前記代替無線ネットワークへの切り替えのユーザ要求を示すかどうかを決定するステップと；
前記応答が前記代替無線ネットワークへの切り替えのユーザ要求を示す場合に、前記代替無線ネットワーク上で前記エンドユーザ装置へ又は前記エンドユーザ装置から前記１つ又は複数のデータ通信の第２のセットを伝達するステップとを具えることを特徴とする方法。
【請求項１２】
請求項１〜１１の何れか１項に記載の方法において、前記エンドユーザ装置がサポートすることができる１つ又は複数のサービス活動は前記エンドユーザ装置上で動くことができる全てのアプリケーションのサブセットに関連し、前記１つ又は複数のデータ通信の第２のセットは前記エンドユーザ装置がサポートすることができる１つ又は複数のサービス活動に関連したデータトラフィックのサブセットを含むことを特徴とする方法。
【請求項１３】
請求項１〜１２の何れか１項に記載の方法において、前記代替無線ネットワーク上又は前記無線セルラ接続上で前記エンドユーザ装置へ又は前記エンドユーザ装置から１つ又は複数のデータ通信の第２のセットを伝達するべきかどうかを決定するステップがさらに、前記エンドユーザ装置上のアプリケーションの１つ又は複数の特徴に基づくことを特徴とする方法。
【請求項１４】
請求項１〜１３の何れか１項に記載の方法において、前記代替無線ネットワーク上又は前記無線セルラ接続上で前記エンドユーザ装置へ又は前記エンドユーザ装置から１つ又は複数のデータ通信の第２のセットを伝達するべきかどうかを決定するステップがさらに、ユーザの選好に基づくことを特徴とする方法。